(57)【要約】【課題】エアゾール容器の内容物の圧力変化にかかわらず内容物放出量を一定化する流量調整機能を備えた操作釦の耐久性を向上させる。【解決手段】操作釦Ａのシリンダ１１に内容物通過用の貫通孔１１ａを形成し、当該貫通孔がピストン部材１２の流入量調整用スカート部１２ａの外周面１２ｂ側に位置するようにした。また、空間部１５に対するシール部材１３をポケット域１５ａが形成される態様でピストン部材１２に設けた。内容物はスカート部１２ａの外周面１２ｂ側から内空間部１２ｅに流入するので、当該スカート部が外側方向へ変形して貫通孔１１ａを続けて閉塞することなどは防止され、ピストン部材１２は円滑に動作する。空間部１５に流入した内容物は、ポケット域１５ａからシール部材１３をシリンダの内周面側に押圧するので、確実にシールされる。貫通孔１１ａの出力側開口部をピストン部材１２の移動方向に沿って長くした操作釦も開示している。【選択図】    図１
2004313841.tif 000002
【特許請求の範囲】
【請求項１】
容器から放出される内容物の流量調整機能を持つ操作釦において、
ステムの下流側に位置して当該ステムからの内容物を内側空間域に流入させるための貫通孔を形成した中空状部と、
前記貫通孔から流入する内容物のガス圧力により前記内側空間域を移動して、当該流入内容物の放出口への通路の一部をその閉状態から開状態に変化させる流量調整部材と、
前記流量調整部材を前記放出口側に付勢する弾性部材とを備え、
前記流量調整部材の外周面の貫通孔対応部分に、少なくとも前記閉状態から所定の前記開状態までにわたって前記貫通孔の出力側開口部と対向する外周面を有し、かつ、前記通路につながる当該出力側開口部の範囲を前記移動の程度に応じて変化させる、通路流入量調整部を形成した、
ことを特徴とする流量調整機能を持つ操作釦。
【請求項２】
前記通路とは別の内側空間域で前記貫通孔の出力側開口部と連通する部分の、前記中空状部の内周面と前記流量調整部材の外周面との間に、シール部材を、前記貫通孔から流入する内容物のガス圧力でシール作用がより強くなる態様で設けた、
ことを特徴とする請求項１記載の流量調整機能を持つ操作釦。
【請求項３】
前記貫通孔の出力側開口部を、前記流量調整部材の移動方向に細長で、かつ前記通路の一部がより開状態となっていくときの当該移動方向の側を幅狭とする態様で形成した、
ことを特徴とする請求項１記載の流量調整機能を持つ操作釦。
【請求項４】
請求項１乃至３記載の操作釦を備え、かつ、放出用ガスおよび内容物を収容したエアゾール式製品。
【発明の詳細な説明】
【０００１】
【発明の属する技術分野】
本発明は、流量調整機能を持つ操作釦に関し、特にエアゾール容器から放出される内容物の流量を調整する構造を備えた操作釦に関する。
【０００２】
なお、本明細書では、操作釦における内容物の放出孔側（放出口側）を「前」、この放出孔とは反対側を「後」という。
【０００３】
また、以下の各図において、アルファベット付き参照番号が示す構成要素（例えば図４の孔部２３ａ）はアルファベットなしの参照番号のそれ（例えば同図のボディ２３）の一部であることを示している。
【０００４】
【従来の技術】
図４は、本件出願人が特願２００２−３０３５６８号において開示した流量調整機能を備えた操作釦Ｂの説明図（作動モード開始時）を示している。
【０００５】
図４の操作釦およびエアゾール容器本体などは、概略、
・各種の内容物および放出用ガスを収納した容器本体２１
・当該容器本体に取り付けられて図示上下方向に移動可能でその中を内容物が通過するステム２２
・当該ステムと嵌合して上面が押圧操作部分となっているボディ２３
・当該ボディの内側に固定されたシリンダ２４
・当該シリンダの内部空間域に配置されて流入内容物のガス圧力および前方向への弾性力に基づき図示左右方向に移動しその中を内容物が通過する鞘状のピストン部材２５
・当該ピストン部材に前方向の弾性力を付与するスプリング２６
・上記シリンダ２４の一部であって当該ピストン部材の前端部分との間で弁作用を行う（図示の場合は閉状態）柱状受部２４ａ，
・上記シリンダ２４の出力側部分（および当該柱状受部）に固定された放出孔部材２７
からなっている。
【０００６】
容器本体２１から放出孔部材２７の放出孔２７ａにいたる内容物の通路は、太い矢印線で示すように、「ステム２２−孔部２３ａ，２４ｂ−シリンダ２４とピストン部材２５との間の環状空間部２８−窪み状部２４ｃと環状の流入量調整用スカート部２５ｂとの間の通路用空間域２９−孔部２５ａ−内空間部２５ｃ−ピストン部材２５の前端部分と柱状受部２４ａとの間の弁作用域３０−溝状部２７ｂ−放出孔２７ａ」となる。
【０００７】
なお、環状空間部２８の前方はピストン部材２５の膨出部２５ｄとシリンダ２４の内周面とのシール作用により、また通路用空間域２９の下流側に続く環状空間部３１の後方はピストン部材２５の環状のスカート部２５ｅとシリンダ２４の内周面とのシール作用により、それぞれ閉じられている。
【０００８】
静止モード、すなわち操作釦Ｂを押圧していない状態ではステム２２の弁（図示省略）が閉じているので、容器本体から操作釦の方に内容物が供給されることはない。
【０００９】
この静止モードでは、
・ピストン部材２５はスプリング２６の付勢力によって前方に移動し、その前端部分がシリンダ２４の柱状受部２４に当接して弁作用域３０は閉塞され、
・通路流入量調整用スカート部２５ｂはその端部分が窪み状部２４ｃに対向する位置にあって、当該スカート部２５ｂとそれの対向内周面（＝シリンダ２４）との間には所定の空間域２９が確保されるので、環状の空間部２８，３１は連通した状態になっている。
【００１０】
操作釦Ｂを押圧した図示の作動モードでは、周知の機構によりステム２２の弁が開いて容器本体の内容物は上記通路を経てピストン部材２５の内空間部２５ｃに流入する。
【００１１】
ピストン部材２５は流入内容物の放出用ガス圧力によって全体として後方への力を受ける。当該後方への力の主たる作用面は鞘状のピストン部材２５の底面部分である。
【００１２】
そして、当該後方への力がスプリング２６の付勢力よりも強くなると、ピストン部材２５は後方に移動してピストン部材２５の前端部分と柱状受部２４ａとの間の弁作用域３０が開状態となる。
【００１３】
この開状態への変化により、内空間部２５ｃへの流入内容物は弁作用域３０および放出孔部材２７の溝状部２７ｂ，放出孔２７ａなどを経て外部空間に放出される。
【００１４】
このピストン部材２５の後方への移動時にも、勿論、当該ピストン部材の膨出部２５ｄとシリンダ２４の内周面との間のシール作用は十全に機能している。
【００１５】
一方、ピストン部材２５の後方への移動にともないその通路流入量調整用スカート部２５ｂの端部分が窪み状部２４ｃからいわば逃げていく。
【００１６】
そのため、通路用空間域２９の内容物流入用の断面積も小さくなってピストン部材２５の内空間部２５ｃへの流入内容物の量も少なくなる。すなわち流入内容物のピストン部材２５に対する後方への押圧力が弱くなる。
【００１７】
その結果、スプリング２６の付勢力が当該押圧力に打ち勝ってピストン部材２５は前方へと移動する。
【００１８】
この移動により通路用空間域２９の内容物流入用の断面積も再び大きくなってピストン部材２５の内空間部２５ｃに十分な内容物が流入し、動作開始時と同じように、ピストン部材２５は当該内容物に基づく押圧力で後方へと移動して弁作用域３０が確保される。
【００１９】
操作釦Ｂを押圧している作動モードではピストン部材２５のこの前後方向への移動が繰り返される。
【００２０】
このような機構により、流入内容物の放出用ガス圧力の変化に応じて、
・それが強い場合はピストン部材２５がその前方位置から後方位置への移動所要時間（≒内容物が内空間部２５ｃに新たに流入する時間幅）を短くし、
・それが弱くなった場合は当該移動所要時間を長くしている。
【００２１】
すなわち、この放出用ガス圧力が弱いときには、通路用空間域２９の各時点での実流入断面積をいわば時間で積分した形の合計流入断面積が大きくなるように設定している。
【００２２】
エアゾール容器の使用初期のように容器本体２１のガス圧が高いとき（８Ｋｇ／ｃｍ２  ）は、
・ピストン部材２５はその内空間部２５ｃの流入内容物に基づくガス圧力が強くて後方への大きな力を受け、
・ピストン部材２５の後方への移動速度が速い、
ので、通路用空間域２９が開状態のときの時間割合が小さくなる。
【００２３】
一方、エアゾール容器の使用にともない容器本体のガス圧が低くなる（例えば３Ｋｇ／ｃｍ２  ）と、
・ピストン部材２５はその内部空間２２ｅの流入内容物に基づくガス圧力も弱くなって後方へ受ける力が小さく、
・ピストン部材２５の後方への移動速度が遅い、
ので、通路用空間域２９が開状態のときの時間割合が大きくなる。なお、スプリング２６によるピストン部材２５の前方への移動速度は上述のガス圧が高い場合と略同一である。
【００２４】
したがって、通路用空間域２９が開状態を継続する時間が容器本体２１のガス圧の変化によって自動調整されるので、単位時間あたりの内容物放出量の安定化を図ることができる。
【００２５】
なお、エアゾール容器の内容物放出用ガスの圧力は、
・圧縮ガスにおいては容器中の当該ガスの占有容積（≒容器全体の実容積−残留内容物の占有容積）に応じて変化し、
・液化ガスにおいては使用環境の温度によって変化する。
【００２６】
【発明が解決しようとする課題】
このような流量調整機能を持つ操作釦は、内容物放出用ガスの圧力が変化した場合にも単位時間あたりの内容物放出量を略一定にできるといった、利便性を有するものである。
【００２７】
ただ凹状のポケット域を持つ流入量調整用スカート部２５ｂは、ステム２２から当該ポケット域（空間部２８）に流入した内容物によってシリンダ２４の内周面側への押圧力を継続的に受けてしまう。
【００２８】
そのため、図４の操作釦は、当該スカート部２５ｂがこの内周面側にいわば変位してシリンダ２４の窪み状部２４ｃの面部分（天井面）に当接することにより内容物の通路用空間域２９が塞がれるといった可能性、また、後方に移動する当該スカート部２５ｂの前端部分が（窪み状部２４ｃに続く）シリンダ内周面に強く接触して双方の劣化の原因となる可能性を否定できず、この点で改善の余地を残している。
【００２９】
そこで、本発明では、シリンダなどに形成した内容物流入用の貫通孔の出力側開口部に通路流入量調整部（例えば上述のスカート部２５ｂ）を対向させる構造とし、流入内容物からの押圧力で当該調整部がシリンダなどの内周面側に付勢される程度を小さくして、図４の操作釦の利便性を確保しつつ、通路流入量調整部の動作をより十全なものとし、かつ、当該調整部およびこれに対応のシリンダなどの内周面の劣化を防止することを目的とする。
【００３０】
【課題を解決するための手段】
本発明は、以上の課題を次のようにして解決する。
（１）容器から放出される内容物の流量調整機能を持つ操作釦において、ステムの下流側に位置して当該ステムからの内容物を内側空間域（例えば後述の通路用空間域１６および空間部１５，１８など）に流入させるための貫通孔（例えば後述の貫通孔１１ａ）を形成した中空状部（例えば後述のシリンダ１１）と、前記貫通孔から流入する内容物のガス圧力により前記内側空間域を移動して、当該流入内容物の放出口への通路の一部をその閉状態から開状態に変化させる流量調整部材（例えば後述のピストン部材１２）と、前記流量調整部材を前記放出口側に付勢する弾性部材（例えば後述のスプリング２６）とを備え、前記流量調整部材の外周面の貫通孔対応部分に、少なくとも前記閉状態から所定の前記開状態までにわたって前記貫通孔の出力側開口部（例えば後述の出力側開口部１１ｂ，１１ｃ）と対向する外周面（例えば後述の外周面１２ｂ）を有し、かつ、前記通路につながる当該出力側開口部の範囲を前記移動の程度に応じて変化させる、通路流入量調整部（例えば後述の流入量調整用スカート部１２ａ）を形成する。
（２）上記（１）において、前記通路とは別の内側空間域で前記貫通孔の出力側開口部と連通する部分の、前記中空状部の内周面と前記流量調整部材の外周面との間に、シール部材（例えば後述のシール部材１３）を、前記貫通孔から流入する内容物のガス圧力でシール作用がより強くなる態様で設ける。
（３）上記（１）において、前記貫通孔の出力側開口部（例えば後述の出力側開口部１１ｃ）を、前記流量調整部材の移動方向に細長で、かつ前記通路の一部がより開状態となっていくときの当該移動方向の側を幅狭とする。
【００３１】
このように、ステムからの内容物が流入する（天井面なしの）貫通孔を形成してその出力側開口部に通路流入量調整部の外周面を対向させ、仮に当該調整部が当該開口部に入り込んだとしても内容物の本来の流入を継続的に阻止することがない態様とし、これにより通路流入量調整部の動作をいっそう確実なものとしている。
【００３２】
また、この貫通孔から流入する内容物を通路流入量調整部の外周面で積極的に受けて当該調整部が流入内容物のガス圧力で当該貫通孔に近づく方向へ付勢される程度を小さくし、これにより当該調整部とその対向内周面との過度な接触を抑えて双方の劣化防止を図っている。
【００３３】
また、この貫通孔の出力側開口部に続くエリアであって内容物通路を構成しない空間部分をシ−ルする部材として流入内容物のガス圧力でシ−ル作用が一段と強まる態様のものを用い、これにより操作釦内のシール性をいっそう十分なものとしている。
【００３４】
また、この貫通孔の出力側開口部を入量調整部材の移動方向に対応した所定形状とし、これにより当該開口部から外部空間に至る内容物の流れをスムーズなものとしてその層流化を図っている。
【００３５】
本発明は、以上の特徴を持つ操作釦を対象とするとともに、この操作釦を備えたエアゾール式製品も対象にしている。
【００３６】
【発明の実施の形態】
図１乃至図３を用いて本発明の実施の形態を説明する。
【００３７】
図１は流量調整機能を備えた操作釦の作動モード開始時、図２は図１の作動モードにおいてピストン部材が後退した状態、図３は貫通孔の出力側開口部を変更した操作釦の作動モード開始時をそれぞれ示している。なお、図１と図３は出力側開口部の形状が違うのみである。
【００３８】
これらの図において、容器本体２１，ステム２２，ボディ２３，スプリング２６および放出孔部材２７は、少なくとも流量調整の点では図４のそれぞれと同様の作用・機能を有しているので、同じ参照番号を用いる。
【００３９】
図１乃至図３において、
ＡおよびＡ’は流量調整機能を備えた操作釦，
１１はボディ２３に固定されたシリンダ，１１ａは内容物流入用の貫通孔，１１ｂ，１１ｃは当該貫通孔の出力側開口部，１１ｄは柱状受け部，
１２は鞘状のピストン部材，１２ａは環状の流入量調整用スカート部，１２ｂは当該スカート部の外周面，１２ｃはシリンダ内周面に常時密接しながら摺動する環状のスカート部，１２ｄは内容物通過用の孔部，１２ｅは内空間部，
１３はピストン部材１２の前側外周面と嵌合してシリンダ内周面に常時密接しながら摺動する環状のシール部材，
１４はボディ２３とシリンダ１１との間の環状の上流側空間部，
１５はシリンダ１１とピストン部材１２との間の環状の空間部，１５ａはポケット域，
１６はシリンダ１１の出力側開口部１１ｂ，１１ｃとピストン１２の流入量調整用スカート部１２ａとの間の通路用空間域，
１７はピストン部材１２の前端部分とシリンダ１１の柱状受け部１１ｄとの間の弁作用域，
１８は通路用空間域１６の下流側に続く環状の空間部，
をそれぞれ示している。
【００４０】
ここで、容器本体２１から放出孔２７ａにいたる内容物の放出用通路は、「ステム２２−孔部２３ａ−上流側空間部１４−貫通孔１１ａ−通路用空間域１６−孔部１２ｄ−内空間部１２ｅ−弁作用域１７−溝状部２７ｂ−放出孔２７ａ」となる。
【００４１】
なお、シリンダ１１およびピストン部材１２の材質は、ナイロン，ポリアセタール，ポリエチレン，ポリプロピレン，ポリエチレンテレフタレート，ポリブエチレンテレフタレートなどである。シール部材１３の材質は、ＮＢＲ，ネオプレン，ブチルゴムなどである。
【００４２】
操作釦Ａ，Ａ′の、従来の操作釦Ｂ（図４参照）との主な相違点は、
（１）  流入量調整用スカート部１２ａを、その静止モードおよび作動モード（の移動途中）において、その外周面１２ｂが内容物流入用の貫通孔１１ａの出力側開口部１１ｂ，１１ｃと対向するような位置関係で設けたこと、
（２）  図４のシール用の膨出部２５ｄに代えて、ピストン部材外周面との間にポケット域１５ａを形成する環状のシール部材１３を用いたこと、
などである。
【００４３】
これにより、
（ａ）  仮に流入量調整用スカート部１２ａが（天井面のない）貫通孔１１ａに入り込んだとしても放出用通路が当該スカート部で塞がれない、すなわち内容物の通過が阻止されることのないようにし、
（ｂ）  貫通孔１１ａに流入する内容物の放出用ガス圧力で流入量調整用スカート部１２ａがシリンダ内周面側に付勢される程度を緩和して、当該スカート部の前端部とシリンダ１１の対向内周面との接触に基づく損傷を防止し、
（ｃ）  空間部１５のポケット域１５ａに流入した内容物の放出用ガス圧力でシール部材１３をシリンダ内周面側に押圧して、当該空間部の前方側のシール作用を十全なものにしている。
【００４４】
また、シール部材１３はピストン部材１２が前後方向に移動するときのガイドとしても作用するので、当該ピストン部材はがたつくことなく円滑に当該方向に移動する。
【００４５】
したがって、操作釦Ａ，Ａ′を長期間使用してもピストン部材１２は円滑に前後方向に移動して貫通孔１１ａなどに対する流量調整機能を確実に行うので、当該操作釦は耐久性に優れたものとなる。
【００４６】
静止モードでは、ピストン部材１２はスプリング２６によって前方に移動してシリンダ１１の柱状受け部１１ｄに当接し、両者間の弁作用域１７は閉塞されている。
【００４７】
このとき、流入量調整用スカート部１２ａは貫通孔１１ａの前側縁部に当接し、当該貫通孔の出力側開口部１１ｂ，１１ｃはピストン部材１２の孔部１２ｄに連通している。すなわち、当該出力側開口部との間の通路用空間域１６（の流入用断面積）はいわばＭＡＸ状態になっている。
【００４８】
操作釦Ａ，Ａ′を押圧すると、内容物放出用の弁（図示省略）が開き、容器本体２１の内容物は上記放出用通路を経て外部空間に出力される。
【００４９】
当該内容物は空間部１５，１８にも流入するが、それぞれの空間部の流入域とは反対側の部分は環状のシール部材１３やスカート部１２ｃによってシールされており、この流入内容物が外部に漏れることはない。
【００５０】
また、貫通孔１１ａに入ってくる内容物は流入量調整用スカート部１２ａの外周面１２ｂに当たるので、当該スカート部がこの流入内容物のエネルギーでシリンダ内周面の方に押圧されることはない。
【００５１】
作動モードのピストン部材１２は、貫通孔１１ａから流入した内容物の放出用ガス圧力によって全体として後方（図示右方向）への力を受ける。当該後方への力の主たる作用面は鞘状のピストン部材１２の底面部分、および空間部１８に接する当該ピストン部材の図示上下方向の表面部分である。
【００５２】
この後方への力がスプリング２６の付勢力よりも強くなると、ピストン部材１２は後方に移動して弁作用域１７が開状態となる。
【００５３】
そして、ピストン部材１２（流入量調整用スカート部１２ａ）が後方に移動して通路用空間域１６が狭くなる、または閉状態になると、貫通孔１１ａからの流入内容物の量が減ってその放出用ガス圧力も小さくなり、スプリング２６の付勢力の方が勝ってくる。
【００５４】
その結果、ピストン部材１２は前方へ移動して通路用空間域１６が広い初期状態に戻る。なお、ピストン部材１２がシリンダ１１の柱状受け部１１ｄに当接する（弁作用域１７が閉じる）まで前進するとは限らない。
【００５５】
このようにピストン部材１２の後方への移動と前方への移動とを繰り返しながら、容器本体２１の内容物は上記通路により外部空間に放出される。
【００５６】
そして、ピストン部材１２の後方への移動所要時間が放出用ガス圧力に大きさに応じて変化し、これにより内容物の流量調整を行っている。
【００５７】
以上の内容物の放出および流量調整に関する動作自体は図４のそれと基本的に同様である。
【００５８】
図３のシリンダ１１（貫通孔１１ａ）の出力側開口部１１ｃは、図示のように後方向に細長で、かつ後方向にいくほど幅狭となるように形成されている。
【００５９】
そのため、ステム２２からの内容物はこの出力側開口部を通過することにより層流状態になってピストン部材１２の内空間部１２ｅに流入し、ピストン部材１２の後方向への移動における応答性がよくなる。
【００６０】
なお、シリンダ１１の貫通孔１１ａの個数・形成位置、また図１・図３の静止モードや図２の作動モード（でピストン部材１２が最も後退した状態）における流入量調整用スカート部１２ａの前端部分の設定位置は、内容物が貫通孔１１ａから当該スカート部の外周面１２ｂの側から内空間部１２ｅに流入していくという条件の下で、任意である。
【００６１】
例えば、静止モードや図２の作動モード（でピストン部材１２が最も後退した状態）においても、流入量調整用スカート部１２ａの前端部分が出力側開口部１１ｂ，１１ｃに対向する、すなわちシリンダ内周面には当接しないようにしてもよい。
【００６２】
以上の流量調整機能を備えた操作釦を用いるエアゾール式製品としては、洗浄剤，清掃剤，制汗剤，忌避剤（殺虫剤），医薬品，医薬部外品，化粧品，洗濯のりなどがある。
【００６３】
エアゾール式製品の内容物には、金属塩類粉末，無機物粉末や樹脂粉末などを用いる。例えばタルク，カオリン，アルミニウムヒドロキシクロライド（アルミ塩），硫酸バリウム，セルロース，これらの混合物などである。また、紫外線吸収剤，油性原料，界面活性剤，保湿剤，高分子化合物，酸化防止剤，金属イオン封鎖剤なども用いる。
【００６４】
エアゾール式製品の放出用ガスには、炭酸ガス，亜酸化窒素，窒素ガス，圧縮空気，酸素ガス，希ガス，これらの混合ガスなどを用いる。
【００６５】
【発明の効果】
本発明は、このように、ステムからの内容物が流入する（天井面なしの）貫通孔を形成してその出力側開口部に通路流入量調整部の外周面を対向させ、仮に当該調整部が当該開口部に入り込んだとしても内容物の本来の流入を継続的に阻止することがない態様としているので、通路流入量調整部の動作をいっそう確実なものとすることができる。
【００６６】
また、この貫通孔から流入する内容物を通路流入量調整部の外周面で積極的に受け、当該調整部が流入内容物のガス圧力で当該貫通孔に近づく方向へ付勢される程度を小さくしているので、当該調整部とその対向内周面との過度な接触を抑えて双方の劣化防止を図ることができる。
【００６７】
また、この貫通孔の出力側開口部に続くエリアであって内容物通路を構成しない空間部分をシ−ルする部材に、流入内容物のガス圧力でシ−ル作用が一段と強まる態様のものを用いているので、操作釦内のシール性をいっそう十分なものとすることができる。
【００６８】
また、この貫通孔の出力側開口部を入量調整部材の移動方向に対応した所定形状としているので、当該開口部から外部空間にいたる内容物の流れをスムーズなものとしてその層流化を図ることができる。
【図面の簡単な説明】
【図１】本発明の、流量調整機能を備えた操作釦の作動モード開始時を示す説明図である。
【図２】本発明の、図１の作動モードにおいてピストン部材が後退した状態を示す説明図である。
【図３】本発明の、貫通孔の出力側開口部を変更した操作釦の作動モード開始時を示す説明図である。
【図４】従来の、流量調整機能を備えた操作釦の静止モードを示す説明図である。
【符号の説明】
Ａ，Ａ’：流量調整機能を備えた操作釦
１１：シリンダ
１１ａ：内容物流入用の貫通孔
１１ｂ，１１ｃ：当該貫通孔の出力側開口部
１１ｄ：柱状受け部
１２：鞘状のピストン部材
１２ａ：環状の流入量調整用スカート部
１２ｂ：当該スカート部の外周面
１２ｃ：環状のスカート部
１２ｄ：孔部
１２ｅ：内空間部
１３：環状のシール部材
１４：ボディ２３とシリンダ１１との間の環状の上流側空間部
１５：シリンダ１１とピストン部材１２との間の環状の空間部
１５ａ：ポケット域
１６：出力側開口部１１ｂ，１１ｃと流入量調整用スカート部１２ａとの間の通路用空間域
１７：ピストン部材１２の前端部分と柱状受け部１１ｄとの間の弁作用域
１８：通路用空間域１６の下流側に続く環状の空間部
２１：容器本体
２２：ステム
２３：ボディ
２３ａ：孔部
２４：シリンダ
２４ａ：柱状受部
２４ｂ：孔部
２４ｃ：窪み状部
２５：鞘状のピストン部材
２５ａ：孔部
２５ｂ：流入量調整用スカート部
２５ｃ：内空間部
２５ｄ：膨出部
２５ｅ：スカート部
２６：スプリング
２７：放出孔部材
２７ａ：放出孔
２７ｂ：溝状部
２８：シリンダ２４とピストン部材２５との間の環状の空間部
２９：窪み状部２４ｃと流入量調整用スカート部２５ｂとの間の通路用空間域
３０：ピストン部材２５の前端部分と柱状受部２４ａとの間の弁作用域
３１：通路用空間域２９の下流側に続く環状の空間部
【図１】
2004313841.tif 000003
【図２】
2004313841.tif 000004
【図３】
2004313841.tif 000005
【図４】
2004313841.tif 000006